(57)【特許請求の範囲】
【請求項１】
半径方向に交互にランドトラックとグルーブトラックとが配置され、前記ランドトラック及び前記グルーブトラックの各々の上にマーク及びスペースを形成することによりビットパターンを記録可能な光ディスクであって、
前記ランドトラック及び前記グルーブトラックの各々は複数の記録ブロックを 備え、
前記複数の記録ブロックの各々はランイン領域とデータ領域とを備え、
前記ランイン領域には所定のランインパターンを記録することが可能であり、前記データ領域には記録対象のデータに基づくデータパターンを記録することが可能であり、
前記光ディスクの半径方向に隣接する前記ランドトラック及び前記グルーブトラックにおいて、前記ランドトラックの前記記録ブロックである第１記録ブロックと、前記グルーブトラックの前記記録ブロックであり、前記第１記録ブロックに対応する第２記録ブロックとは、前記光ディスクの周方向において同じ角度位置に記録され、
前記第１記録ブロックの前記ランイン領域に記録される第１ランインパターンと、前記第２記録ブロックの前記ランイン領域に記録される第２ランインパターンとは、互いに異なり、
前記第１ランインパターンは、第１単位パターンの１回以上の繰り返しパターンとして構成され、
前記第２ランインパターンは、第２単位パターンの１回以上の繰り返しパターンとして構成され、
前記第１単位パターンと前記第２単位パターンとは、複数種類の長さの前記マーク及び前記スペースの組み合わせにより構成される、パターン長が第１長さのパターンであり、
前記第１単位パターン及び前記第２単位パターンの各々は、前記複数種類の長さのうち最長の長さに対応する最長パターンを１つ含み、
最長パターン間距離は、前記第１ランインパターン及び前記第２ランインパターンの全体において、各々の前記最長パターンの間の距離のうち最小の距離であり、
前記第１単位パターンの前記最長パターンと、前記第２単位パターンの前記最長パターンとは、前記最長パターン間距離が最大となるような位置に配置される、光ディスク。
【請求項２】
前記第１ランインパターン中の前記最長パターンに隣接する前記第２ランインパターン中のパターン、及び前記第２ランインパターン中の前記最長パターンに隣接する前記第１ランインパターン中のパターンは、前記最長パターンの半分以下の長さのパターンとする、
請求項１記載の光ディスク。
【請求項３】
前記第１ランインパターン及び前記第２ランインパターンの各々は、前記マークと前記スペースの反転回数が奇数である、
請求項１記載の光ディスク。
【請求項４】
半径方向に交互にランドトラックとグルーブトラックとが配置され、前記ランドトラック及び前記グルーブトラックの各々の上にマーク及びスペースを形成することによりビットパターンを記録可能な光ディスクであって、
前記ランドトラック及び前記グルーブトラックの各々は複数の記録ブロックを 備え、
前記複数の記録ブロックの各々はランイン領域とデータ領域とを備え、
前記ランイン領域には所定のランインパターンを記録することが可能であり、前記データ領域には記録対象のデータに基づくデータパターンを記録することが可能であり、
前記光ディスクの半径方向に隣接する前記ランドトラック及び前記グルーブトラックにおいて、前記ランドトラックの前記記録ブロックである第１記録ブロックと、前記グルーブトラックの前記記録ブロックであり、前記第１記録ブロックに対応する第２記録ブロックとは、前記光ディスクの周方向において同じ角度位置に記録され、
前記第１記録ブロックの前記ランイン領域に記録される第１ランインパターンと、前記第２記録ブロックの前記ランイン領域に記録される第２ランインパターンとは、互いに異なり、
前記第１ランインパターンは、第１単位パターンの１回以上 の繰り返しパターンとして構成され、
前記第２ランインパターンは、第２単位パターンの１回以上の繰り返しパターンとして構成され、
前記第１単位パターンと前記第２単位パターンとは、複数種類の長さの前記マーク及び前記スペースの組み合わせにより構成される、パターン長が第１長さのパターンであり、
前記第１単位パターン及び前記第２単位パターンの各々は、前記複数種類の長さのうち最長の長さに対応する最長パターンを１つ含み、
最長パターン間距離は、前記第１ランインパターン及び前記第２ランインパターンの全体において、各々の前記最長パターンの間の距離のうち最小の距離であり、
前記最長パターン間距離は、パターンが記録されたトラックにレーザを照射して得られた再生信号におけるパターンの符号間干渉の幅よりも長い、光ディスク。
【請求項５】
光ディスクへデータの記録及び再生を行う光ディスク記録再生方法であって、
前記光ディスクは、各々が複数の記録ブロックを有するランドトラック及びグルーブトラックを備え、前記ランドトラック及び前記グルーブトラックの各々の上にマーク及びスペースを形成することによりビットパターンを記録可能であり、
前記複数の記録ブロックの各々は、ランイン領域とデータ領域とを備え、
前記ランドトラックと前記グルーブトラックとは、前記光ディスクの半径方向に交互に配置され、
前記光ディスク記録再生方法は、
前記光ディスクの半径方向に隣接する前記ランドトラック及び前記グルーブトラックにおいて、前記ランドトラックの前記記録ブロックである第１記録ブロックと、前記グルーブトラックの前記記録ブロックであり、前記第１記録ブロックに対応する第２記録ブロックとを、前記光ディスクの周方向において同じ角度位置に記録し、
前記第１記録ブロックの前記ランイン領域に第１ランインパターンを記録し、
前記第２記録ブロックの前記ランイン領域に前記第１ランインパターンとは異なる第２ランインパターンを記録し、
前記データ領域に、記録対象のデータを所定の変調則に従って変調したデータパターンを記録し、
前記第１ランインパターンは、第１単位パターンの１回以上の繰り返しパターンとして構成され、
前記第２ランインパターンは、第２単位パターンの１回以上の繰り返しパターンとして構成され、
前記第１ 単位パターンと前記第２単位パターンとは、複数種類の長さの前記マーク及び前記スペースの組み合わせにより構成される、パターン長が第１長さのパターンであり、
前記第１ランインパターン及び前記第２ランインパターンの各々は、前記複数種類の長さのうち最長の長さに対応する最長パターンを１つ含み、
最長パターン間距離は、前記第１ランインパターン及び前記第２ランインパターンの全体において、各々の前記最長パターンの間の距離のうち最小の距離であり、
前記第１単位パターンの前記最長パターンと、前記第２単位パターンの前記最長パ ターンとは、前記最長パターン間距離が最大となるような位置に配置される、光ディスク記録再生方法。
【請求項６】
前記第１ランインパターン中の前記最長パターンに隣接する前記第２ランインパターン中のパターン、及び前記第２ランインパターン中の前記最長パターンに隣接する前記第１ランインパターン中のパターンは、前記最長パターンの半分以下の長さのパターンとする、
請求項５記載の光ディスク記録再生方法。
【請求項７】
前記第１ランインパターン及び前記第２ランインパターンの各々は、前記マークと前記スペースの反転回数が奇数である、請求項５記載の光ディスク記録再生方法。
【請求項８】
光ディスクへデータの記録及び再生を行う光ディスク記録再生方法であって、
前記光ディスクは、各々が複数の記録ブロックを有するランドトラック及びグルーブトラックを備え、前記ランドトラック及び前記グルーブトラックの各々の上にマーク及びスペースを形成することによりビットパターンを記録可能であり、
前記複数の記録ブロックの各々は、ランイン領域とデータ領域とを備え、
前記ランドトラックと前記グルーブトラックとは、前記光ディスクの半径方向に交互に配置され、
前記光ディスク記録再生方法は、
前記光ディスクの半径方向に隣接する前記ランドトラック及び前記グルーブトラックにおいて、前記ランドトラックの前記記録ブロックである第１記録ブロックと、前記グルーブトラックの前記記録ブロックであり、前記第１記録ブロックに対応する第２記録ブロックとを、前記光ディスクの周方向において同じ角度位置に記録し、
前記第１記録ブロックの前記ランイン領域に第１ランインパターンを記録し、
前記第２記録ブロックの前記ランイン領域に前記第１ランインパターンとは異なる第２ランインパターンを記録し、
前記第１ランインパターンは、第１単位パターンの１回以上の繰り返しパターンとして構成され、
前記第２ランインパターンは、第２単位パターンの１回以上の繰り返しパターンとして構成され、
前記第１単位パターンと前記第２単位パターンとは、複数種類の長さの前記マーク及び前記スペースの組み合わせにより構成される、パターン長が第１長さのパターンであり、
前記第１単位パターン及び前記第２単位パターンの各々は、前記複数種類の長さのうち最長 の長さに対応する最長パターンを１つ含み、
最長パターン間距離は、前記第１ランインパターン及び前記第２ランインパターンの全体において、各々の前記最長パターンの間の距離のうち最小の距離であり、
前記最長パターン間距離は、パターンが記録されたトラックにレーザを照射して得られた再生信号におけるパターンの符号間干渉の幅よりも長い、光ディスク記録再生方法。
【請求項９】
光ディスクへデータの記録及び再生を行う光ディスク記録再生装置であって、
前記光ディスクは、各々が複数の記録ブロックを有するランドトラック及びグルーブトラックを備え、前記ランドトラック及び前記グルーブトラックの各々の上にマーク及びスペースを形成することによりビットパターンを記録可能であり、
前記複数の記録ブロックの各々は、ランイン領域とデータ領域とを備え、
前記ランドトラックと前記グルーブトラックとは、前記光ディスクの半径方向に交互に配置され、
前記光ディスク記録再生装置は、
前記光ディスクに光ビームを照射することで前記光ディスクに対するデータの記録を行う光ヘッドと、
記録対象データを所定の変調則で変調して変調信号とする変調回路と、
前記データ領域に前記変調信号を記録するように制御するコントローラと、を備え、
前記コントローラは、
前記光ディスクの半径方向に隣接する前記ランドトラック及び前記グルーブトラックにおいて、前記ランドトラックの前記記録ブロックである第１記録ブロックと、前記グルーブトラックの前記記録ブロックであり、前記第１記録ブロックに対応する第２記録ブロックとを、前記光ディスクの周方向において同じ角度位置に記録し、
前記第１記録ブロックの前記ランイン領域に第１ランインパターンを記録し、
前記第２記録ブロッ クの前記ランイン領域に前記第１ランインパターンとは異なる第２ランインパターンを記録し、
前記第１ランインパターンは、第１単位パターンの１回以上の繰り返しパターンとして構成され、
前記第２ランインパターンは、第２単位パターンの１回以上の繰り返しパターンとして構成され、
前記第１単位パターンと前記第２単位パターンとは、複数種類の長さの前記マーク及び前記スペースの組み合わせにより構成される、パターン長が第１長さのパターンであり、
前記第１単位パターン及び前記第２単位パターンの各々は、前記複数種類の長さのうち最長の長さに対応する最長パターンを１つ含み、
最長パターン間距離は、前記第１ランインパターン及び前記第２ランインパターンの全体において、各々の前記最長パターンの間の距離のうち最小の距離であり、
前記第１単位パターンの前記最長パターンと、前記第２単位パターンの前記最長パターンとは、前記最長パターン間距離が最大となるような位置に配置される、光ディスク記録再生装置。
【請求項１０】
光ディスクへデータの記録を制御する集積回路であって、
前記光ディスクは、各々が複数の記録ブロックを有するランドトラック及びグルーブトラックを備え、前記ランドトラック及び前記グルーブトラックの各々の上にマーク及びスペースを形成することによりビットパターンを記録可能であり、
前記複数の記録ブロックの各々は、ランイン領域とデータ領域とを備え、
前記ランドトラックと前記グルーブト ラックとは、前記光ディスクの半径方向に交互に配置され、
前記集積回路は、
前記光ディスクの半径方向に隣接する前記ランドトラック及び前記グルーブトラックにおいて、前記ランドトラックの前記記録ブロックである第１記録ブロックと、前記グルーブトラックの前記記録ブロックであり、前記第１記録ブロックに対応する第２記録ブロックとを、前記光ディスクの周方向において同じ角度位置に記録し、
前記第１記録ブロックの前記ランイン領域に第１ランインパターンを記録し、
前記第２記録ブロックの前記ランイン領域に前記第１ランインパ ターンとは異なる第２ランインパターンを記録し、
前記データ領域に、記録対象のデータを所定の変調則に従って変調したデータパターンを記録し、
前記第１ランインパターンは、第１単位パターンの１回以上の繰り返しパターンとして構成され、
前記第２ランインパターンは、第２単位パターンの１回以上の繰り返しパターンとして構成され、
前記第１単位パターンと前記第２単位パターンとは、複数種類の長さの前記マーク及び前記スペースの組み合わせにより構成される、パターン長が第１長さのパターンであり、
前記第１単位パターン及び前記第２単位パターンの各々は、前記複数種類の長さのうち最長の長さに対応する最長パターンを１つ含み、
最長パターン間距離は、前記第１ランインパターン及び前記第２ランインパターンの全体において、各々の前記最長パターンの間の距離のうち最小の距離であり、
前記第１単位パターンの前記最長パターンと、前記第２単位パターンの前記最長パターンとは、前記最長パターン間距離が最大となるような位置に配置される、集積回路。
【発明の詳細な説明】
【技術分野】
【０００１】
本開示は、光学的にデータが記録される光ディスク、光ディスクにデータの記録再生を行う光ディスク記録再生方法、光ディスク記録再生装置、及び、光ディスクにデータの記録再生を行うための集積回路に関する。
【背景技術】
【０００２】
光ディスクの体積あたりの記録密度を向上させる技術として、トラックの記録密度を向上させるランド（溝間）−グルーブ（溝）記録再生技術がある。この技術は、既にＤＶＤ−ＲＡＭで用いられており、従来のグルーブまたはランドのみに記録されていたデータを、グルーブ及びランドの両方に記録することでトラックの記録密度を向上させる。
【０００３】
ＤＶＤ−ＲＡＭでは、トラックの中にデータ記録領域とアドレス領域とを設けているため、データ記録領域及びアドレス領域には、データを独立して復調するための領域を設ける必要がある。このため、データを記録する領域を無駄に使ってしてしまう。この課題に対して、グルーブトラックのウォブリングによってアドレス情報を記録することで、データ記録領域を無駄にしない技術が開示されている（特許文献１参照）。
【先行技術文献】
【特許文献】
【０００４】
【特許文献１】国際公開第２０１３／１４０７５６号
【発明の概要】
【発明が解決しようとする課題】
【０００５】
本開示は、ランド−グルーブ記録再生技術を用いた場合において、より安定したデータの再生が可能な光ディスク及び光ディスク記録再生方法を提供する。
【課題を解決するための手段】
【０００６】
本開示における光ディスクは、半径方向に交互にランドトラックとグルーブトラックとが配置されている。光ディスクは、ランドトラック及びグルーブトラックの各々の上にマーク及びスペースを形成することによりビットパターンを記録可能である。ランドトラック及びグルーブトラックの各々は複数の記録ブロックを備える。複数の記録ブロックの各々はランイン領域とデータ領域とを備える。ランイン領域には所定のランインパターンを記録することが可能である。データ領域には記録対象のデータに基づくデータパターンを記録することが可能である。光ディスクの半径方向に隣接するランドトラック及びグルーブトラックにおいて、第１記録ブロックと、第２記録ブロックとは、光ディスクの周方向において同じ角度位置に記録される。第１記録ブロックは、ランドトラックの記録ブロックである。第２記録ブロックは、グルーブトラックの記録ブロックのうち、第１記録ブロックと対応するものである。第１記録ブロックのランイン領域に記録される第１ランインパターンと、第２記録ブロックのランイン領域に記録される第２ランインパターンとは互いに異なる。
【０００７】
本開示における光ディスク記録再生方法は、光ディスクへデータの記録再生を行う光ディスク記録再生方法である。光ディスクは、各々が複数の記録ブロックを有するランドトラック及びグルーブトラックを備える。光ディスクは、ランドトラック及びグルーブトラックの各々の上にマーク及びスペースを形成することによりビットパターンを記録可能である。複数の記録ブロックの各々はランイン領域とデータ領域とを備える。ランドトラックとグルーブトラックとは、光ディスクの半径方向に交互に配置される。光ディスク記録再生方法は、光ディスクの半径方向に隣接するランドトラック及びグルーブトラックにおいて、第１記録ブロックと、第２記録ブロックとを、光ディスクの周方向において同じ角度位置に記録する。第１記録ブロックは、ランドトラックの前記記録ブロックである。第２記録ブロックは、グルーブトラックの記録ブロックのうち、第１記録ブロックと対応するものである。本開示における光ディスク記録再生方法においては、第１記録ブロックのランイン領域には、第１ランインパターンを記録する。第２記録ブロックのランイン領域には、第１ランインパターンとは異なる第２ランインパターンを記録する。データ領域には、記録対象のデータを所定の変調則に従って変調したデータパターンを記録する。
【発明の効果】
【０００８】
本開示における光ディスク及び光ディスク記録再生方法は、トラックの記録密度を高めたランド−グルーブ記録再生技術を用い、なおかつデータの記録線密度を高くした場合において、安定したデータの再生を可能とする。
【図面の簡単な説明】
【０００９】
【図１】図１は、実施の形態１における光ディスク装置の構成を示すブロック図である。
【図２】図２は、実施の形態１における光ディスクのゾーンを示す図である。
【図３】図３は、実施の形態１における光ディスクの記録ブロックを示す図である。
【図４】図４は、実施の形態１におけるゾーンテーブルを示す図である。
【図５】図５は、実施の形態１における再生信号の振幅とゲイン制御を示す図である。
【図６】図６は、実施の形態１におけるランインの記録パターンを示す図である。
【図７】図７は、実施の形態１におけるデータアドレスの構成を示す図である。
【発明を実施するための形態】
【００１０】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になることを避け、当業者の理解を容易にするためである。
【００１１】
なお、添付図面及び以下の説明は、当業者が本開示を十分に理解するために提供されるのであって、これらにより特許請求の範囲に記載の主題を限定することは意図されていない。
【００１２】
（実施の形態１）
［１−１．構成］
図１は、本実施の形態における光ディスク装置２０の構成を示すブロック図である。図１に示すように、光ディスク装置２０は、光ヘッド２０１と、スピンドルモータ２０２と、サーボコントローラ２０３と、ＡＧＣ（Ａｕｔｏｍａｔｉｃ  Ｇａｉｎ  Ｃｏｎｔｒｏｌ）／ＰＬＬ（Ｐｈａｓｅ  Ｌｏｃｋｅｄ  Ｌｏｏｐ）回路２０４と、データ復調回路２０５と、誤り訂正復号回路２０６と、レーザ駆動回路２０７と、記録信号生成回路２０８と、データ変調回路２０９と、誤り訂正符号化回路２１０とを備える。光ディスク装置２０は、さらに、ＢＣＡ（Ｂｕｒｓｔ  Ｃｕｔｔｉｎｇ  Ａｒｅａ）再生回路２１９と、ウォブル検出回路２１１と、ウォブルＰＬＬ回路２１２と、チャネルＰＬＬ回路２１３と、ＡＤＩＰ（ＡＤｒｅｓｓ  Ｉｎ  Ｐｒｅ−Ｇｒｏｏｖｅ）再生回路２１４と、タイミング補間回路２１５と、システムコントローラ２１６と、Ｉ／Ｆ回路２１７と、ＲＯＭ（Ｒｅａｄ  Ｏｎｌｙ  Ｍｅｍｏｒｙ）２２０とを備える。
【００１３】
光ディスク装置２０は、光ディスク２００に対してデータの記録及び再生を行う。光ディスク２００には、内周から外周にかけてらせん状にトラックが形成される。トラックは、グルーブにより形成されるグルーブトラックと、隣接するグルーブトラックの間に形成されるランドトラックとからなる。つまり、光ディスク２００は、半径方向に交互にランドトラックとグルーブトラックとが配置される。光ディスク装置２０は、データを、グルーブトラックとランドトラックのいずれにも記録する。
【００１４】
光ディスク装置２０は、光ディスク２００のランドトラック及びグルーブトラックの各々の上にマーク及びスペースを形成することにより、光ディスク２００に記録データのビットパターンを記録する。より具体的には、光ディスク装置２０は、記録データのビットパターンを変調して、光ディスク２００上に形成するマーク及びスペースを示すデータ信号を生成する。また、光ディスク装置２０は、後述するようにＡＧＣ／ＰＬＬ回路２０４が引込動作を行うためのマーク及びスペースを示すランイン信号を生成する。光ディスク装置２０は、ランイン信号が示すマーク及びスペースと、データ信号が示すマーク及びスペースとを、光ディスク２００に形成する。ランイン信号に基づいて光ディスク２００上に形成されたマーク及びスペースを、ランインパターンと呼称するものとする。同様に、データ信号に基づいて光ディスク２００上に形成されたマーク及びスペースを、データパターンと呼称するものとする。ランインパターンは、複数種類の長さのマーク及びスペースの組み合わせにより構成される所定の長さ（例えば６０Ｔ）のパターンを１回以上繰り返したパターンとして構成される。なお、１Ｔは、１チャネルビットに相当する。チャネルビットとは、パターンとして書き込まれるときのパターン長の最小単位である。すなわち、マーク及びスペースのパターンの長さは、チャネルビットの整数倍となる。マーク及びスペースは、データパターン及びランインパターンのビットが１のときに反転し、０のときには変化しない。
【００１５】
ここで、本実施の形態における光ディスク２００について説明する。図２は、本実施の形態の光ディスク２００のゾーンを示す図である。光ディスク２００の記録面は、内周から順にＢＣＡ（Ｂｕｒｓｔ  Ｃｕｔｔｉｎｇ  Ａｒｅａ）と記録可能領域とを備える。
【００１６】
ＢＣＡには、光ディスク２００のディスク番号、ディスクの層数、ゾーンフォーマット識別番号などディスク固有のディスク管理情報が記録されている。ここで、ゾーンフォーマット識別番号は、光ディスク２００に記録されるデータのフォーマットの種類を示す識別子である。例えば、ゾーンフォーマット識別番号１は、光ディスク２００が、１層あたり５０ＧＢの記録容量となるような線密度で記録される光ディスクであることを示す。ゾーンフォーマット識別番号２は、光ディスク２００が、１層あたり６０ＧＢの記録容量となるような線密度で記録される光ディスクであることを示す。ゾーンフォーマット識別番号３は、光ディスク２００が、１層あたり８０ＧＢの記録容量となるような線密度で記録される光ディスクであることを示す。それぞれのゾーンフォーマット識別番号に対して、所定のゾーンテーブル（Ｃｈａｎｎｅｌ−Ｂｉｔ−Ｌｅｎｇｔｈ  Ａｄｊｕｓｔｍｅｎｔ  Ｚｏｎｅ  Ｔａｂｌｅ）が決められている。
【００１７】
記録可能領域は、半径方向にＺ個（Ｚは２以上の自然数）のゾーンに分割される。光ディスク装置２０は、複数のゾーンの各々について、記録クロックの周波数または記録の速度（線速度）を設定する。
【００１８】
光ディスク２００の記録可能領域は、非データ領域とユーザデータ記録領域とを含む。例えば、図２に示すように、内周側のゾーン１とゾーン２とを非データ領域とし、ゾーン３からゾーンＺまでをユーザデータ領域とする。
【００１９】
ユーザデータ領域は、ホスト２１８から記録要求された記録データ（ユーザデータ）を記録する領域である。
【００２０】
非データ領域は、記録調整を行う領域と、サーボ調整を行う領域と、データ管理領域とを含む。記録調整を行う領域は、レーザ駆動回路２０７による光ヘッド２０１のレーザ出力を適切に調整するための領域である。サーボ調整を行う領域は、光ヘッド２０１から光ディスク２００に照射された光ビームを光ディスク２００上に設けられたグルーブトラックあるいはランドトラックに適切に集光して走査するための領域である。データ管理領域は、ユーザデータ領域の使用状況や光ディスク２００上の傷などの欠陥部分を管理するための領域である。
【００２１】
トラックは、光ディスク２００における半径位置に対応した周期でウォブリングするように形成されている。ウォブリングの空間的周期である波長は、トラックの半径位置、すなわち、光ディスク２００の中心からの距離にほぼ比例するように形成されている。つまり、トラックのウォブリングの空間的周期に対応する光ディスク２００の中心角は、トラックの半径位置によらず一定である。言い換えると、ウォブリングの空間的周期は、半径位置に比例して外周ほど長くなる。したがって、トラックのウォブリングは、光ディスク２００の中心から放射状に構成される。
【００２２】
トラックのウォブリングには、光ディスク２００上のトラックのアドレス情報を有するＡＤＩＰ情報が変調されて埋め込まれている。光ディスク２００のトラックは、半径位置によらず、１周を７等分した一定の角度で分割されている。分割された各トラックに対して１つのＡＤＩＰ情報が埋め込まれている。トラックのウォブリングの空間的周期に対応する光ディスク２００の中心角は、半径位置によらず一定であるため、７等分された各トラックに含まれるウォブリングの数、すなわち、１波長のウォブリングが含まれる数は、半径位置によらず一定である。つまり、１つのＡＤＩＰ情報に何波長分のウォブリングが対応するかは、半径位置によらず一定である。
【００２３】
光ディスク装置２０は、ＡＤＩＰ情報から得られたアドレス情報に基づき、グルーブトラック及びランドトラックにデータを記録する。図３は、グルーブトラック及びランドトラックに記録されるデータの記録ブロックを示す模式図である。図３において、左右方向が光ディスク２００の周方向、上が半径方向の外周側、下が半径方向の内周側に対応する。図３は、光ディスク２００の内周側から順にグルーブトラック１、ランドトラック１、グルーブトラック２、ランドトラック２、グルーブトラック３、及びランドトラック３が配置されていることを示す。ランドトラックおよびグルーブトラックには、周方向に沿って複数の記録ブロックが配置される。各記録ブロックは、ランイン領域とクラスタ領域とから構成される。ランイン領域は、ＡＧＣ／ＰＬＬ回路２０４が引込動作を行うためのパターン（ランインパターン）が記録される領域である。クラスタ領域は、ホスト２１８から受信した記録データに基づくデータパターンが記録される領域である。本実施の形態において、隣接するグルーブトラックに記録される記録ブロックＧと、ランドトラックに記録される記録ブロックＬとは、ランイン領域に記録されるランインパターンが互いに異なる。グルーブトラックの記録ブロックＧには、ランインパターンとしてランインＧが記録される。ランドトラックの記録ブロックＬには、ランインパターンとしてランインＬが記録される。クラスタ領域は、データ領域の一例である。ランインＬは、第１ランインパターンの一例である。ランインＧは、第２ランインパターンの一例である。
【００２４】
半径方向に隣接するグルーブトラック及びランドトラックの組、例えば、１つのグルーブトラックと、その外周側に隣接する１つのランドトラックとを１セットとする。このような１セットのグルーブトラック及びランドトラックにおいて、ランドトラックの記録ブロックとグルーブトラックの記録ブロックとは周方向における同じ位置（同じ角度位置）に配置（記録）される。ここで、ランドトラックの記録ブロックを第１記録ブロックとし、第１記録ブロックに対応するグルーブトラックの記録ブロックを第２記録ブロックとする。なお、第１記録ブロックに対応するグルーブトラックの記録ブロックとは、グルーブトラックに含まれる記録ブロックのうち、第１記録ブロックに隣接している記録ブロックのことである。なお、第１記録ブロックと第２記録ブロックとが周方向における同じ角度位置に配置されるとは、それぞれの記録ブロックのランイン領域とクラスタ領域との境界の光ディスク２００の周方向における位置（角度位置）が、第１記録ブロックと第２記録ブロックとで一致するように配置されることである。また、第１記録ブロックのランイン領域及びクラスタ領域は、光ディスク２００の半径方向において第２記録ブロックのランイン領域及びクラスタ領域と隣接する。例えば、図３のグルーブトラック１及びランドトラック１のセットにおいては、光ディスク２００の周方向における同じ位置に、半径方向に隣接して記録ブロックが配置される。グルーブトラック２及びランドトラック２、グルーブトラック３及びランドトラック３においても同様である。対応するグルーブトラックとランドトラックのセットにおいては、ランドトラックの記録ブロックのランイン領域であるランインＬと、グルーブトラックの記録ブロックのランイン領域であるランインＧとは、光ディスク２００の周方向における同じ位置に、半径方向に隣接して記録される。以下、隣接する記録ブロックとは、対応する第１記録ブロックと第２記録ブロックとのうち、一方に対する他方の記録ブロックを指すものとする。また、隣接するランイン領域とは、第１記録ブロックのランイン領域と第２記録ブロックのランイン領域とのうち、一方に対する他方のランイン領域を指すものとする。
【００２５】
図１の光ディスク装置２０の説明に戻る。スピンドルモータ２０２は、光ディスク２００を回転させる。光ヘッド２０１は、光ディスク２００に光ビームを照射することで光ディスク２００にデータを記録する。また、光ヘッド２０１は、光ディスク２００に光ビームを照射することで光ディスク２００からデータを再生する。光ヘッド２０１が照射する光ビームは、光ディスク２００上に設けられたトラックに集光される。スピンドルモータ２０２は、光ディスク２００を回転させることにより、集光された光ビームでトラックを走査する。
【００２６】
サーボコントローラ２０３は、光ヘッド２０１及びスピンドルモータ２０２を制御し、光ディスク２００上に設けられたトラックを走査する。サーボコントローラ２０３は、さらに、目的のトラックにアクセスするため、光ビームが所望のトラックに集光されるように、移動制御を行う。サーボコントローラ２０３は、光ヘッド２０１が光ディスク２００を線速度一定で走査するように、光ヘッド２０１の位置とスピンドルモータ２０２の回転数とを制御する。
【００２７】
Ｉ／Ｆ回路（インターフェイス回路）２１７は、光ディスク２００に記録する記録データをホスト２１８から受け取る。また、Ｉ／Ｆ回路２１７は、光ディスク２００から再生された再生データをホスト２１８へ送る。
【００２８】
誤り訂正符号化回路２１０は、Ｉ／Ｆ回路２１７から受け取った記録データに、誤り訂正するためのパリティを付加する。
【００２９】
ウォブル検出回路２１１は、光ディスク２００からの再生信号から、トラックのウォブリングの時間的周期に基づくウォブル信号を抽出する。光ディスク２００は光ヘッド２０１に対向して回転している。トラックはウォブリングしているため、集光された光ビームに対するトラックの半径方向における位置は、光ディスク２００の周方向の位置に応じて変動する。これにより、集光された光ビームの反射率が、トラックのウォブリングの空間的周期に対応した周波数で変動する。すなわち、光ヘッド２０１が読み取る反射光の強度は、ウォブリングの空間的周期と、光ディスク２００の当該トラックにおける線速度とに応じて周期的に変化する。ウォブル検出回路２１１は、この周期的変化を波形として検出し、ウォブル信号として出力する。光ディスク２００を線速度一定で回転する場合、内周のトラックほどウォブル信号の周波数は高くなる。
【００３０】
ウォブルＰＬＬ回路２１２は、ウォブル信号の周波数に対応するパルス信号を生成する。ウォブルＰＬＬ回路２１２は、さらに、生成したパルス信号の周波数をさらに所定の倍率で逓倍したウォブルクロックを生成する。ウォブルクロックの周波数、すなわち、単位時間当たりのパルスの数は、トラックのウォブリングの空間的周期と光ディスク２００の線速度に依存する。なお、１つのＡＤＩＰ情報に対応するウォブルクロックのパルスの数は、半径位置によらず一定である。
【００３１】
ＡＤＩＰ再生回路２１４は、ウォブル信号とウォブルクロックとからＡＤＩＰ情報を再生する。
【００３２】
チャネルＰＬＬ回路２１３は、ウォブルクロックの位相に同期し、ウォブルクロックの周波数のｎ／ｍ倍（ｍ、ｎは自然数）の周波数となるような記録クロックを生成する。ウォブリングの空間的周期（１波長）あたりの、記録データのビットパターンのビット数は、ｎ／ｍの値に比例する。ｍ、ｎは、ゾーンテーブルに含まれるあらかじめ決められた値である。すなわち、ｎ／ｍの値は、光ディスク２００のゾーン毎に設定されている。ｍ、ｎ及びｎ／ｍは、ゾーン毎のデータの線密度に関する情報の一例である。ｍ、ｎの値は、システムコントローラ２１６から通知される。
【００３３】
ここでゾーンテーブルについて説明する。ゾーンテーブルとは、光ディスク装置２０が記録再生可能な光ディスク２００の種類について、記録再生に係る情報を各ゾーンごとに保持するテーブルである。例えば、光ディスク２００に対するゾーンテーブルは、ゾーン１からゾーンＺの各々について、ゾーン番号、ｍ、ｎの値を設定している。
【００３４】
光ディスク２００に対するゾーンテーブルは、光ディスク２００に対応するゾーンフォーマット識別番号と関連付けられている。このようなゾーンテーブルが、光ディスク装置２０が記録再生可能な光ディスクのフォーマット識別子毎に、ＲＯＭ２２０に記憶されている。
【００３５】
図４は、本実施の形態におけるゾーンテーブルの一例を示す図である。図４において、ゾーン毎に、ｍ、ｎの値が設定されている。ゾーン番号は１から３２まで設定されている。
【００３６】
図１の光ディスク装置２０の説明に戻る。タイミング補間回路２１５は、ＡＤＩＰ情報と、システムコントローラ２１６から通知されるｎ、ｍの値とから、記録データを記録再生する位置を特定する。
【００３７】
データ変調回路２０９は、誤り訂正符号化回路２１０からのパリティを含む記録データを、所定の変調則にしたがって変調した変調信号（データ信号）を生成する。
【００３８】
記録信号生成回路２０８は、チャネルＰＬＬ回路２１３が生成する記録クロックに同期して、タイミング補間回路２１５が特定する位置に従って、記録信号を生成する。記録信号は、ランイン領域に記録されるランインパターンを示すランイン信号と、クラスタ領域に記録されるデータパターンを示すデータ信号とを含む。ランインＧを示すランイン信号をランイン信号Ｇ、ランインＬを示すランイン信号をランイン信号Ｌとする。図３に示すように、グルーブトラックの記録ブロックＧに記録する記録信号は、ランイン信号Ｇと、クラスタ領域に記録するデータ信号とからなる。ランドトラックの記録ブロックＬに記録する記録信号は、ランイン信号Ｌと、クラスタ領域に記録するデータ信号とからなる。また、記録信号生成回路２０８は、記録信号のうちランイン信号Ｇ及びランイン信号Ｌとして、それぞれ所定のランイン信号を出力する。ランイン信号Ｇ及びランイン信号Ｌは、ＲＯＭ２２０に記憶されている。システムコントローラ２１６は、ＲＯＭ２２０からランイン信号Ｇ及びランイン信号Ｌを読み出して記録信号生成回路２０８に通知する。このようにして生成される記録信号に基づいて、光ディスク２００上に形成されたマーク及びスペースが、記録パターンである。
【００３９】
レーザ駆動回路２０７は、光ディスク２００上に正確にマークを形成するために記録信号を光パルスに変換する。すなわち、記録信号に基づいて光ヘッド２０１のレーザを駆動する。
【００４０】
以上のように、記録信号生成回路２０８により生成された記録信号は、記録クロックに基づいて光ディスク２００上に記録される。記録クロックの周波数は、ウォブルクロックの周波数のｎ／ｍ倍である。したがって、記録信号の１ビットに対応する光ディスク２００上における長さは、トラックのウォブリングの空間的周期のｍ／ｎとなる。すなわち、ｎの値を大きく、あるいはｍの値を小さくすると、光ディスク２００上に記録される記録信号の１ビットの長さは短くなり、線密度を高くできる。さらに、光ディスク２００の半径位置に応じて、外周側ほどトラックのウォブリングの空間的周期は長くなるので、これに対応してｎ／ｍを大きくなるようにｍ及びｎを設定する。これにより、光ディスク２００上に記録される線密度をほぼ一定にできる。
【００４１】
本実施の形態の光ディスク装置２０は、ｍ、ｎの値を光ディスク２００のゾーン毎に設定する。ゾーン毎に、外周側のゾーン番号が大きなゾーンほどｎ／ｍが大きくなるようにｍ及びｎを設定することで、光ディスク２００上に記録される線密度をほぼ一定とすることができる。すなわち、記録信号の線密度の範囲を一定範囲内に収めることができる。
【００４２】
一方、光ディスク２００上に記録されたデータは、ＡＧＣ／ＰＬＬ回路２０４、データ復調回路２０５、誤り訂正復号回路２０６によって再生される。
【００４３】
ＡＧＣ／ＰＬＬ回路２０４は、光ディスク２００からの再生信号を復調するために、再生信号の振幅の増幅率を制御する。ＡＧＣ／ＰＬＬ回路２０４は、さらに、再生信号に同期した同期クロックを、再生信号に基づいて生成する。
【００４４】
データ復調回路２０５は、タイミング補間回路２１５が特定する位置に応じて、再生信号から記録されたデータを復調する。具体的には、データ復調回路２０５は、再生信号の信号振幅と、複数の期待値波形の信号振幅とを比較し、信号振幅が最も近い期待値波形を選択する。複数の期待値波形の各々は、光ディスク２００に記録されているパターンを仮定し、仮定したパターンを再生したときに想定される再生信号の波形である。データ復調回路２０５は、選択した期待値波形に対応する仮定されたパターンを復調結果として選択する。データ復調回路２０５は、選択された復調結果に基づき、復調されたデータを誤り訂正復号回路２０６に出力する。
【００４５】
誤り訂正復号回路２０６は、復調されたデータに含まれるビット誤りを訂正して、光ディスク２００に記録されたデータを復元する。
【００４６】
ＲＯＭ２２０は、フラッシュメモリで構成される。ＲＯＭ２２０は、システムコントローラ２１６が光ディスク装置２０全体を制御するためのプログラムを記憶する。また、ＲＯＭ２２０は、ゾーンテーブルを記憶する。
【００４７】
ＢＣＡ再生回路２１９は、ＢＣＡを再生した再生信号から、記録されたディスク管理情報を再生する。
【００４８】
システムコントローラ２１６は、ＲＯＭ２２０に記憶されたプログラムを読み出して実行することにより、各回路を制御するとともに、ホスト２１８との通信も制御する。システムコントローラ２１６は、チャネルＰＬＬ回路２１３及びタイミング補間回路２１５に対して、記録再生対象位置を含むゾーンに対応するｍ、ｎの値をゾーンテーブルから読み出して通知する。システムコントローラ２１６は、チャネルＰＬＬ回路２１３により生成された記録クロックと、タイミング補間回路２１５で特定した記録位置とに基づいてデータを記録するように、光ディスク装置２０の各部を制御する。データ変調回路２０９と、記録信号生成回路２０８と、レーザ駆動回路２０７と、光ヘッド２０１とは、記録クロックと記録位置とに基づいてデータを記録する。
【００４９】
［１−２．動作］
次に、本実施の形態における光ディスク装置２０の動作について説明する。まず、本実施の形態における光ディスク装置２０に光ディスク２００が装着されたときの動作について説明する。光ディスク装置２０に光ディスク２００が装着されると、ＢＣＡ再生回路２１９は、光ディスク２００に記録されているＢＣＡを再生してディスク管理情報を取得する。
【００５０】
システムコントローラ２１６は、ディスク管理情報をＢＣＡ再生回路２１９から受け取り、ディスク管理情報からゾーンフォーマット識別番号を抽出する。システムコントローラ２１６は、ＲＯＭ２２０に記憶されたゾーンテーブルの中からゾーンフォーマット識別番号に対応するゾーンテーブルを特定し、特定したゾーンテーブルを読み出す。
【００５１】
次に、本実施の形態における光ディスク装置２０の光ディスク２００への記録動作について説明する。
【００５２】
Ｉ／Ｆ回路２１７は、ホスト２１８から送信された記録データと記録先の論理アドレスを取得する。記録データは所定の単位のデータブロックに分割され、データブロック毎に誤り訂正符号化回路２１０へと送られる。
【００５３】
誤り訂正符号化回路２１０は、データブロック単位の記録データに、再生時の誤りを訂正するためのパリティコードを付加する。
【００５４】
データ変調回路２０９は、パリティコードが付加された記録データを、例えば１−７ＰＰ（Ｐａｒｉｔｙ  Ｐｒｅｓｅｒｖｅ）符号の変調則に従ってデータ信号に変調する。
【００５５】
記録信号生成回路２０８は、ランイン信号、すなわちランイン信号Ｇあるいはランイン信号Ｌと、データ信号とを記録信号として出力する。ランイン信号Ｇ及びランイン信号Ｌは、所定のパターンを示す信号の繰り返しにより構成されている。
【００５６】
ランインパターンは、ランイン信号に基づいてランイン領域に記録されるパターンである。ランインパターンは、ＡＧＣ／ＰＬＬ回路２０４での再生信号の振幅の増幅率の制御と、再生信号からの同期クロックの抽出とに用いられる。
【００５７】
ＡＧＣ／ＰＬＬ回路２０４は、再生信号の振幅の変化に応じて再生信号に対する増幅率を制御するが、このときゲインが振幅の変化に追従するための過渡応答期間が生じる。そこでこの過渡応答期間を短くするため、ランイン領域とクラスタ領域とで再生信号の振幅の変化が小さくなるように、ランインパターンが設定されている。すなわち、ランインパターンは、ランインパターンから得られる再生信号の平均振幅が、クラスタ領域に記録されるデータパターンから得られる再生信号の平均振幅とほぼ同じとなるようなパターンに設定されている。
【００５８】
ＡＧＣ／ＰＬＬ回路２０４を簡易かつ安定に動作させるために、従来は、ランイン領域に記録されるランインパターンとして、単純な繰り返しパターンを繰り返したものが用いられていた。
【００５９】
一方、記録密度を高めるためにグルーブトラック及びランドトラックの両方に記録する、ランド−グルーブ記録再生技術では、隣接トラックの記録パターンに起因するノイズが再生対象トラックの再生信号に大きく漏れ込んでくる。
【００６０】
ここで、隣接するグルーブトラックとランドトラックとを１セットとして、光ディスク２００の周方向において同じ位置に記録ブロックを配置する場合の再生信号について説明する。図５は、記録パターンと、再生信号の振幅と、再生信号を増幅するアンプのゲインの関係を示す図である。図５は、隣接するランドトラック及びグルーブトラックに記録された記録パターンを示す。図５に示す記録パターンの左半分はランイン領域を示し、右半分はクラスタ領域を示すものとする。図５に示す再生信号波形は、一方のトラック（例えばランドトラック）の記録パターンを光ヘッド２０１が再生したときに得られる再生信号の波形を示す。図５の再生信号波形の左右方向は、トラックの記録パターンの左右方向と対応している。すなわち、図５に示す再生信号波形は、記録パターンの左から右へ走査したときに得られる時間波形である。図５は、さらに、図５に示す再生信号波形が得られたときにＡＧＣ／ＰＬＬ回路２０４により制御されるアンプのゲインの時間変化を示す。図５に示すアンプのゲインの左右方向の位置と、トラックの記録パターンの左右方向の位置と、再生信号波形の左右方向の位置とは、それぞれ対応している。
【００６１】
図５に示す記録パターンの右半分には、データが記録されている。ランドトラックとグルーブトラックには、それぞれ異なるデータが記録されるため、トラックに記録される記録パターンも異なったパターンとなる。ここで、ランドトラックに記録されている記録パターンとグルーブトラックに記録されているパターンとが、互いに相関のないパターンである場合を考える。この場合、隣接トラックの記録パターンに起因するノイズの波形と、再生対象トラックの記録パターンから得られる再生信号の波形とは相関性が低い。このため、このノイズを含む再生信号の振幅は、再生信号のみの振幅と比較して大きな変化は現れない。
【００６２】
一方、図５に示す記録パターンの左半分、すなわち、ランイン領域に記録されている記録パターンは、単純な繰り返しパターンを所定の回数繰り返したものである。ここで、ランドトラックのランインパターンと、グルーブトラックのランインパターンが完全に一致した場合を考える。このとき、隣接トラックの記録パターンに起因するノイズの波形と、再生対象トラックの記録パターンから得られる再生信号の波形とは相関性が高い。したがって、隣接トラックからのノイズと再生対象トラックの再生信号とが干渉し、ノイズを含む再生信号の振幅が極端に大きく（あるいは小さく）なってしまう可能性がある。
【００６３】
このため、１セットのグルーブトラック及びランドトラックの、隣接する記録ブロックにおいてランインパターンが同じであり、且つ、クラスタ領域に記録されているデータの記録パターンが異なる場合には、図５に示すように、ランイン領域とクラスタ領域との間で再生信号の振幅に大きな差が発生する。ＡＧＣ／ＰＬＬ回路２０４は、再生信号の振幅を一定に保つようにゲイン制御を行うが、再生信号が所望の振幅で安定するまでの過渡応答期間が生じる。過渡応答期間においては、再生信号の波形が劣化し、データ復調回路２０５での復調結果においてバーストエラーが発生する要因となる。特に、致命的なバーストエラーが生じた場合には、誤り訂正復号回路２０６でデータの誤りが訂正できず、データの再生が不可能になる可能性がある。
【００６４】
本実施の形態における光ディスク装置２０は、光ディスク２００における隣接するランイン領域に対し、ランインＧとランインＬとして、互いに異なるパターンを記録する。これにより、隣接するランインパターンの影響で、ランイン領域を再生したときのノイズを含む再生信号波形の振幅が極端に変動することを防ぐ。ランイン領域における再生信号波形の振幅が安定することにより、過渡応答期間が発生することが抑制される。
【００６５】
記録信号生成回路２０８は、ランインＧ及びランインＬの基となるランイン信号Ｇ及びランイン信号Ｌとして、互いに異なる所定のランイン信号を出力する。図６は、ランインＧの繰り返しパターン（第２単位パターン）と、ランインＬの繰り返しパターン（第１単位パターン）とを示している。繰り返しパターンは、ランイン領域の再生信号の平均振幅とクラスタ領域の再生信号の平均振幅とがほぼ同じになるように、パターンが決められている。具体的には、データパターンに含まれるマーク／スペースのうち最長のマーク／スペース長と同じ８Ｔのマーク／スペースを少なくとも１回含む。繰り返しパターンにおいて、８Ｔのマーク／スペース以外のマーク／スペースの長さとしては６Ｔ以下を用いる。なお、８Ｔのマーク／スペースとは、光ディスク２００に記録される記録パターンにおいて、マークまたはスペースが８チャネルビット連続しているパターンのことである。ここでは、繰り返しパターンにおいて、最も長いパターンである８Ｔのマーク／スペースを、最長パターンとも表現する。
【００６６】
なお、光ディスク２００に記録されるマーク／スペースのパターンは、ＲＬＬ変調符号化（Ｒｕｎ  Ｌｅｎｇｔｈ  Ｌｉｍｉｔｅｄ  ｅｎｃｏｄｉｎｇ)により生成されたものである。ここでは、マークをＭ、スペースをＳと表記する。また、記録パターンの１が反転、０が非反転に対応するとする。例えば、記録パターンが“０１００００１００１０”のとき、光ディスク２００に記録されるマーク／スペースのパターンは、“ＳＭＭＭＭＭＳＳＳＭＭ”、または、“ＭＳＳＳＳＳＭＭＭＳＳ”、となる。
【００６７】
光ディスク２００に記録されるランイン領域の記録パターンとしては、短いマーク／スペースを用いないことが望ましい。ランイン領域においては、例えば、１Ｔ及び２Ｔのマーク／スペースは用いない。ランイン領域の記録パターンに短いマーク／スペースを用いないことにより、ＡＧＣ／ＰＬＬ回路２０４での信号処理を安定させることができる。これは、光学的な回折限界と比較して、マーク／スペースのパターンの空間的な長さが短い場合、再生信号の振幅が小さくなってしまうためである。なお、光学的な回折限界は、光ヘッド２０１のレーザの波長とレンズの開口数に依存する。さらに、繰り返しパターンのマーク／スペースの反転回数は奇数とする。これにより、マーク／スペースの極性を含めて繰り返しパターンが長くなる。さらに、ランインＧの８Ｔのマーク／スペースとランインＬの８Ｔのマーク／スペースとの光ディスク２００の周方向における距離が、符号間干渉の幅よりも長くなるように配置する。パターンが記録されたトラックにレーザを照射して得られた再生信号は、隣接するトラック間や、光ディスク２００の周方向において、符号間干渉を生じる。繰り返しパターンの中で最も振幅が大きくなる８Ｔのマーク／スペースを、ランドトラックとグルーブトラックとで離れた位置に配置する。例えば、ランドトラックの８Ｔのマーク／スペースと、グルーブトラックの８Ｔのマーク／スペースとを、光ディスク２００の周方向においてＷ［Ｔ］だけ位置をずらして配置する。符号間干渉の幅が９Ｔである場合、すなわち、９Ｔだけ離れたマーク／スペース間の符号間干渉が問題となる場合は、Ｗは１０［Ｔ］以上の距離を確保する。これにより、繰り返しパターン間の符号間干渉を抑制できる。符号間干渉を抑制できることにより、再生信号の波形が安定し、ＡＧＣ／ＰＬＬ回路２０４での信号処理を安定させることができる。より望ましくは、ランインＧの８Ｔのマーク／スペースとランインＬの８Ｔのマーク／スペースとは、周方向において、各ランインパターン内の、互いの距離が最大となるような位置に配置する。例えば、ランインＧおよびランインＬの繰り返しパターンの長さが６０Ｔである場合は、互いの８Ｔのマーク／スペースの周方向における距離が３０Ｔ前後となるように配置する。すなわち、ランインＧの繰り返しパターンの８Ｔのマーク／スペースは、隣接するランインＬの繰り返しパターンの８Ｔのマーク／スペースと、その繰り返しパターンと光ディスク２００の周方向に隣り合う繰り返しパターンの８Ｔのマーク／スペースとの中間に位置する。
【００６８】
また、８Ｔのマーク／スペースに隣接する位置には、影響が平滑化されるように８Ｔの半分以下である、３Ｔあるいは４Ｔの短いマーク／スペースを配置する。すなわち、ランインＧ中の８Ｔのマーク／スペースに隣接するランインＬ中のパターンは、３Ｔあるいは４Ｔのマーク／スペースを配置する。同様に、ランインＬ中の８Ｔのマーク／スペースに隣接するランインＧ中のパターンは、３Ｔあるいは４Ｔのマーク／スペースとする。これにより、８Ｔのマーク／スペースを再生したときの再生信号に、隣接するトラックの記録パターンにより漏れ込むノイズを低減することができる。
【００６９】
クラスタ領域に記録されるデータ信号において８Ｔの発生頻度は低く、複数の８Ｔのマーク／スペースが互いに符号間干渉する範囲内に存在する可能性は低い。ランイン領域においても、長いマーク／スペース同士が符号間干渉する範囲内に入らないようにすることで、クラスタ領域の変調信号の振幅に比較して、ランイン領域における振幅が大きく、あるいは小さくなりすぎないようにすることができる。以上の条件を満たしたパターンにすることで、ランイン領域の再生信号の平均振幅と、ランダムなパターンを記録しているクラスタ領域の再生信号の平均振幅との差を小さくすることができる。
【００７０】
この条件を満たす繰り返しパターンとして、ランインパターンの長さが６０Ｔである場合の一例を示す。ランインパターンを、１ビットが１Ｔに対応し、１がマーク／スペースの反転位置を示すビットパターンとして表す。例えば、ランインＧの繰り返しパターンは、“０１０００００００１００００１００１０００１００１０００１００１０００１０００１０００１００００１００１００１０００１０”、ランインＬの繰り返しパターンは、“０１０００１００１０００１０００１０００００１０００１０００１０００００００１０００１００１００１００１００１０００１０”とすることができる。ランインＧについては、２Ｔ目を始点として８Ｔのマーク／スペースが配置される。ランインＬについては、３１Ｔ目を始点として８Ｔのマーク／スペースが配置される。この場合、互いの８Ｔのマーク／スペースの周方向における距離は２９Ｔとなる。このようなランインＧ及びランインＬの基となるランイン信号Ｇ及びランイン信号Ｌが、ＲＯＭ２２０に記憶されている。
【００７１】
レーザ駆動回路２０７は、記録信号生成回路２０８によって生成された記録信号に基づき、光ディスク２００上に正確に記録マークを形成するためにキャッスル型のパルス波形を生成する。レーザ駆動回路２０７は、生成したパルス波形に基づき、レーザを駆動するための駆動信号を光ヘッド２０１へ出力する。
【００７２】
光ヘッド２０１は、記録先の論理アドレスに対応する光ディスク２００上の位置にレーザパルスを照射することで、記録信号に基づく記録パターンを記録する。
【００７３】
光ディスク２００は、放射状にＡＤＩＰが付与された構造になっている。そのため、光ディスク２００の記録面内の記録信号の線密度がほぼ一定になるように、チャネルＰＬＬ回路２１３は、記録クロックを制御する。ウォブル検出回路２１１は、トラックのウォブリングに応じたウォブル信号を検出する。ウォブルＰＬＬ回路２１２は、ウォブル信号に同期したウォブルクロックを生成する。チャネルＰＬＬ回路２１３は、ウォブルクロックをｍ分周したクロックの位相と、記録クロックをｎ分周したクロックの位相が同期するように動作し、その結果としてウォブルクロックのｎ／ｍ倍の周波数となる記録クロックを生成する。
【００７４】
システムコントローラ２１６は、上記の記録動作を制御する。システムコントローラ２１６は、はじめに、Ｉ／Ｆ回路２１７で取得された記録先の論理アドレスに基づいて、記録データを記録するデータアドレスと、このデータアドレスを含むトラック（グルーブトラックまたはランドトラック）及びゾーンを特定する。ここでデータアドレスは、記録データの記録再生位置を指定するための、ＡＤＩＰを基準として決められた光ディスク２００上の物理アドレスである。システムコントローラ２１６は、ゾーンテーブルを参照し、特定したゾーンに対応するゾーン番号のｍ、ｎを取得する。
【００７５】
チャネルＰＬＬ回路２１３は、ゾーン毎に決められたｎ／ｍの値を用いて、ウォブルクロックをｍ分周したクロックの位相と、記録クロックをｎ分周したクロックの位相が同期するように動作し、ウォブルクロックのｎ／ｍ倍の周波数となる記録クロックを生成する。
【００７６】
タイミング補間回路２１５は、ＡＤＩＰ情報と、システムコントローラ２１６から通知されるｎ、ｍの値とから、記録データを記録再生する位置を特定する。タイミング補間回路２１５は、生成した記録クロックでデータタイミング補間カウンタを動作させ、後続の記録ブロックの境界を１チャネルビット精度で補間する。データタイミング補間カウンタが、データを記録するターゲット位置を示したときに、記録信号生成回路２０８とレーザ駆動回路２０７が動作してデータの記録を開始する。
【００７７】
記録データには、記録ブロック毎にデータアドレスが付加される。図７は、本実施の形態のデータアドレスの構成を示す図である。データアドレスは、記録層番号、記録ブロック番号、グルーブトラック／ランドトラック情報で構成される。記録層番号は、データが記録されている記録層の番号を示す情報である。記録ブロック番号は、データの記録ブロック番号を示す情報である。グルーブトラック／ランドトラック情報は、データが記録されている場所が、ランドトラックであるかグルーブトラックであるかを示す情報である。
【００７８】
記録ブロックＭを記録する場合、記録ブロックの番号はＭとなる。データアドレスが付加された記録データは、データ変調回路２０９で変調されてデータ信号とされる。データ信号は、記録信号生成回路２０８でランイン信号Ｇあるいはランイン信号Ｌと組み合わされて記録信号として生成される。記録信号は、レーザ駆動回路２０７と光ヘッド２０１により光ディスク２００のトラックに記録される。
【００７９】
次に、本実施の形態における光ディスク装置２０の再生動作について説明する。
【００８０】
光ディスク２００に対する再生位置の特定については、記録動作における記録位置の特定の動作と同様である。タイミング補間回路２１５によるデータタイミング補間カウンタにしたがって、再生する記録ブロックの位置となったときに、ＡＧＣ／ＰＬＬ回路２０４と、データ復調回路２０５と、誤り訂正復号回路２０６とが動作してデータの再生を行う。
【００８１】
ＡＧＣ／ＰＬＬ回路２０４は、光ヘッド２０１が再生する光ディスク２００からの再生信号の振幅が一定になるように、再生信号を増幅するアンプのゲインを制御する。本実施の形態では、ランイン領域とクラスタ領域の間において、隣接トラックからのノイズを含む再生信号の振幅がほぼ一定になるように、ランインＧとランインＬの繰り返しパターンが決められている。このため、図５に示すようなアンプのゲインの大きな変動は発生せず、長い過渡応答期間を生じることがないため、安定して再生信号を得ることが可能となる。ＡＧＣ／ＰＬＬ回路２０４は、再生信号から記録されているチャネルビットに同期した同期クロックの抽出を行う。
【００８２】
データ復調回路２０５は、抽出された同期クロックのタイミングにおいて再生信号と期待値波形との信号振幅を比較した結果から最も近い期待値波形を選択し、期待値波形の元となるデータを復調結果として出力する。
【００８３】
誤り訂正復号回路２０６は、復調されたデータの誤りを訂正して復元する。
【００８４】
データの記録及び再生を行う位置は、チャネルＰＬＬ回路２１３とタイミング補間回路２１５により決まる。この動作は、ウォブルクロックと記録クロックの周波数の比ｎ／ｍの値のリストを含むゾーンテーブルに基づいて行われる。
【００８５】
システムコントローラ２１６は、ＢＣＡから読み取ったゾーンフォーマット識別番号に応じてゾーンテーブルを参照して各値を特定し、上述のようなデータの記録再生の動作を行う。
【００８６】
以上のように、光ディスク２００はランド−グルーブ記録再生技術を用いており、記録される記録ブロックに含まれるランインの記録パターンは、グルーブトラックとランドトラックで異なるものである。光ディスク２００から再生した再生信号の振幅には、グルーブトラックとランドトラックの記録パターンの干渉による大きな変化は現れないため、光ディスク装置２０は、光ディスク２００に記録されたデータを安定して再生することができる。
【産業上の利用可能性】
【００８７】
本開示は、光学的にデータが記録される光ディスク、及び光ディスクに対してデータの記録再生を行う光ディスク装置に適用可能である。
【符号の説明】
【００８８】
２０    光ディスク装置
２００    光ディスク
２０１    光ヘッド
２０２    スピンドルモータ
２０３    サーボコントローラ
２０４    ＡＧＣ／ＰＬＬ回路
２０５    データ復調回路
２０６    誤り訂正復号回路
２０７    レーザ駆動回路
２０８    記録信号生成回路
２０９    データ変調回路
２１０    誤り訂正符号化回路
２１１    ウォブル検出回路
２１２    ウォブルＰＬＬ回路
２１３    チャネルＰＬＬ回路
２１４    ＡＤＩＰ再生回路
２１５    タイミング補間回路
２１６    システムコントローラ
２１７    Ｉ／Ｆ回路
２１８    ホスト
２１９    ＢＣＡ再生回路
２２０    ＲＯＭ
【図１】
0006803518.tif 000002
【図２】
0006803518.tif 000003
【図３】
0006803518.tif 000004
【図４】
0006803518.tif 000005
【図５】
0006803518.tif 000006
【図６】
0006803518.tif 000007
【図７】
0006803518.tif 000008